(57)【要約】【課題】レバーハンドルの支持安定性とその支持安定性の持続効果を高め、なおかつ、インナー側とアウター側の座を構成する部品の共通化も図った開き戸用レバーハンドル座を提供する。【解決手段】レバーハンドル座１を、インナー座２、アウター座３及び連結軸４を有し、インナー座２とアウター座３は、ケーシング５、底カバー６、トーションばね７、センター軸８を備え、ケーシング５は、円筒状ボス部５ｃとばね係止部５ｄとストッパ部５ｅを有し、底カバー６は、円筒状ボス部６ａを有し、センター軸８は、本体８ａと径方向突出部８ｂと軸部８ｃとばね受け部８ｄを有し、レバーハンドル２２を復帰させるトーションばね７がケーシング５に内蔵され、軸部８ｃが円筒状ボス部５ｃ、６ａの内側に嵌め込まれてセンター軸８がケーシング５と底カバー６に支持され、センター軸８によってラッチボルト駆動用の角芯が支持されるものにした。【選択図】図１
2020176469.tif 000002
【特許請求の範囲】
【請求項１】
扉（２０）の内側と外側に取り付けるインナー座（２）及びアウター座（３）と、扉の錠組み込み穴（２１）に通されて前記インナー座（２）とアウター座（３）を切り離し可能に接続する２本の連結軸（４）を有し、
前記インナー座（２）とアウター座（３）の各々は、底部の開放したカップ状のケーシング（５）と、前記扉（２０）の錠組み込み穴（２１）の両端の開口部にそれぞれ取り付けられる前記ケーシング（５）の底カバー（６）と、前記ケーシング（５）に内蔵されてレバーハンドル（２２）に復帰力を加えるトーションばね（７）と、前記レバーハンドル（２２）を支持するセンター軸（８）を備え、
前記インナー座（２）とアウター座（３）の前記トーションばね（７）を除いた他の構成要素は、同一形状、同一仕様であり、
前記ケーシング（５）は、端壁（５ｂ）の中心部に端壁（５ｂ）の内面側に突出して設けられた円筒状ボス部（５ｃ）と、前記端壁（５ｂ）の内面に突出して設けられた２個の左右対称形状のばね係止部（５ｄ）と、前記端壁（５ｂ）と一体の外周壁（５ａ）の１８０°回転した位置の内面に設けられた２個の左右対称形状のストッパ部（５ｅ）を有し、
前記底カバー（６）は、中心部に前記錠組み込み穴（２１）に入り込ませる円筒状ボス部（６ａ）を有し、
前記センター軸（８）は、板状の本体（８ａ）と、その本体（８ａ）の外周の周方向等分点に設けられた計４個の、前記ストッパ部（５ｅ）に受け止められる回転角規制用の径方向突出部（８ｂ）と、前記本体（８ａ）の中心部に当該本体（８ａ）の両端面から軸方向に突出して設けられた、星形の軸穴（８ｅ）を有する円筒状の軸部（８ｃ）と、前記本体（８ａ）の片側の端面に軸方向に突出して設けられたばね受け部（８ｄ）を有し、
前記トーションばね（７）が、一端を前記ケーシング（５）の片方のばね係止部（５ｄ）に、他端を前記センター軸（８）の前記ばね受け部（８ｄ）にそれぞれ係止させて前記ケーシング（５）の前記円筒状ボス部（５ｃ）の外周に組み込まれ、
前記センター軸（８）の前記軸部（８ｃ）が前記ケーシング（５）の前記円筒状ボス部（５ｃ）と前記底カバー（６）の円筒状ボス部（６ａ）の内側にそれぞれ摺動隙間をもって嵌め込まれて前記センター軸（８）が前記ケーシング（５）と前記底カバー（６）に支持され、
前記センター軸（８）の前記軸穴（８ｅ）に、レバーハンドル（２２）で回転させるラッチボルト駆動用の角芯（２３）が挿通されてその角芯（２３）が前記センター軸（８）によって支持される開き戸用レバーハンドル座。
【請求項２】
前記ケーシング（５）の外側を覆う外カバー（１１）が含まれた請求項１に記載の開き戸用レバーハンドル座。
【請求項３】
前記ケーシング（５）の端壁（５ｂ）が、前記インナー座（２）の底カバー（６）に前記連結軸（４）を固定するねじ（１２）の外部からの回転操作を可能にするドライバー挿入用の貫通穴（５ｆ）を備えた請求項１又は２に記載の開き戸用レバーハンドル座。
【請求項４】
前記ケーシング（５）の前記円筒状ボス部（５ｃ）とその円筒状ボス部（５ｃ）の穴に挿入するレバーハンドル（２２）の根元部との間に介在される着脱自在の樹脂ブッシュ（１０）がさらに含まれた請求項１〜３のいずれかに記載の開き戸用レバーハンドル座。
【請求項５】
前記センター軸（８）の前記軸穴（８ｅ）が、前記角芯（２３）のコーナが点当たりして入り込む前記角芯のコーナのコーナ角よりもコーナ角の小さなコーナ（Ｃ）を有する請求項１〜４のいずれかに記載の開き戸用レバーハンドル座。
【発明の詳細な説明】
【技術分野】
【０００１】
この発明は、開き戸用レバーハンドルの支持安定性とその支持安定性の持続効果を高め、なおかつ、インナー側とアウター側の座を構成する部品の共通化も図った開き戸用レバーハンドル座に関する。
【背景技術】
【０００２】
蝶番を介して戸枠に取り付けられた開き戸の扉は、その扉に組み込んだラッチボルトを戸枠側に設けられたストライクに係合させて閉鎖状態を保持する。
【０００３】
ラッチボルトは、扉に取り付けられたレバーハンドルを操作して扉の内部に引き込まれ、その引き込みによりストライクとの係合が解けて扉を開くことが可能になる。
【０００４】
ストライクに対するラッチボルトの係合が解ける方向、即ち、扉を開く方向に操作されたレバーハンドルは、操作力を開放すると、リターンスプリングの力で元の状態に戻る。
【０００５】
リターンスプリングは、ユニット化されたラッチ機構の内部に組み込まれたものが多いが、下記特許文献１，２などに示されるように、レバーハンドルを支持するハンドル座に内蔵させた錠もある。
【０００６】
リターンスプリングをハンドル座に内蔵させた錠は、ユニット化されていない単純な構造のラッチ機構を使用でき、錠の簡素化や小型化が図れる利点がある。
【０００７】
なお、特許文献１のレバーハンドル座は、扉に固定される本体と、この本体に嵌合させる座板（これは後述する本願のレバーハンドル座の底板に相当する）とでカム板を回動可能に支持し、スプリングによってレバーハンドルが復帰する方向に付勢された前記カム板でレバーハンドルの固定されたレバー軸（角軸）を支持するようにしている。
【０００８】
また、特許文献２のドアハンドル装置は、ドア座金の裏面に円筒状の支持部を、ハンドルレバーに円筒状の遊嵌部を、それぞれ設け、前記遊嵌部を前記支持部の穴に挿入してハンドルレバーをドア座金によって直接支持するようにしている。
【先行技術文献】
【特許文献】
【０００９】
【特許文献１】特開２００８−１０１３４９号公報
【特許文献２】特開２０１０−２５５２０７号公報
【発明の概要】
【発明が解決しようとする課題】
【００１０】
特許文献２のドアハンドル装置は、円筒状の遊嵌部を備えた特殊形状のハンドルレバーを必要とし、ドア座金の形状も複雑になって好ましくない。
【００１１】
これに対し、特許文献１のレバーハンドル座は、本体と座板でカム板を支持し、そのカム板でレバー軸を支持しているため、レバーハンドルに円筒状の支持部にガイドされる遊嵌部を設ける必要が無い。
【００１２】
加えて、レバー軸を支えるカム板の大径部を本体の凹部の内周面でガイドし、さらに、前記カム板の小径軸部を前記座板に設けた受け穴でガイドしているため、レバーハンドルの支持安定性もある程度確保される。
【００１３】
しかしながら、特許文献１のレバーハンドル座は、座板によるカム板の小径軸部のガイドを座板に開けた受け穴の穴面で行っているため、経時使用での摩擦による座板の受け穴の穴面やカム板の小径軸部の摩耗が避けられず、支持安定性の長期持続が難しい。
【００１４】
また、座板の受け穴によるカム板の小径軸部の支持を無くし、カム板のガイドを本体の凹部の内周面のみで行って上記問題を回避しようとすると、前記凹部の内周面によるカム板の大径部の支持が円周方向の一部分のみで行われることから、カム板の支持が不安定になってレバー軸の振れが起こり易くなることが考えられる。
【００１５】
これに加え、特許文献１のレバーハンドル座は、インナー側とアウター側の本体（扉の内側と外側にそれぞれ取り付ける本体）が左右非対称の形状をなしているため、そのインナー側とアウター側の本体の部品点数削減のための共通化が図れないと言う問題もある。
【００１６】
この発明は、上記の現状技術に鑑みてなされたものであって、レバーハンドルの支持安定性とその支持安定性の持続効果を高め、なおかつ、インナー側とアウター側の座を構成する部品の共通化も図った開き戸用レバーハンドル座を提供することを目的としている。
【課題を解決するための手段】
【００１７】
上記の課題を解決するため、この発明においては、開き戸用レバーハンドル座（以下では単にレバーハンドル座とも言う）を提供する。
そのレバーハンドル座は、扉の内側と外側に取り付けるインナー座及びアウター座と、扉の錠組み込み穴に通されて前記インナー座とアウター座を切り離し可能に接続する２本の連結軸を有し、
前記インナー座とアウター座の各々は、底部の開放したカップ状のケーシングと、前記錠組み込み穴の開口部に取り付ける前記ケーシングの底カバーと、前記ケーシングに内蔵されてレバーハンドルに復帰力を加えるトーションばねと、前記レバーハンドルを支持するセンター軸を備え、
前記ケーシングは、端壁の中心部に端壁の内面側に突出して設けられた円筒状ボス部と、前記端壁の内面に突出して設けられた２個の左右対称形状のばね係止部と、前記端壁と一体の外周壁の１８０°回転した位置の内面を膨出させて作られた２個の左右対称形状のストッパ部を有し、
前記底カバーは、中心部に前記錠組み込み穴に入り込ませる内鍔の付いた円筒状ボス部を有し、
前記センター軸は、板状の本体と、その本体の外周の周方向等分点に設けられた、計４個の、前記ストッパ部に当接する回転角規制用の径方向突出部と、前記本体の中心部に当該本体の両端面から軸方向に突出して設けられた、星形の軸穴を有する円筒状の軸部と、前記本体の片側の端面に軸方向に突出して設けられたばね受け部を有し、
前記トーションばねが、一端を前記ケーシングの片方のばね係止部に、他端を前記センター軸の前記ばね受け部にそれぞれ係止させてケーシングの前記円筒状ボス部の外周に組み込まれ、
前記センター軸の前記軸部が前記ケーシングの前記円筒状ボス部と前記底カバーの円筒状ボス部の内側にそれぞれ摺動隙間をもって嵌め込まれて前記センター軸が前記ケーシングと前記底カバーに支持され、
前記センター軸の前記軸穴に、前記レバーハンドルで回転させるラッチボルト駆動用の角芯が挿通されてその角芯が前記センター軸によって支持されるものである。
インナー座とアウター座の前記トーションばねを除いた他の構成要素は、同一形状、同一仕様となっている。
【００１８】
この開き戸用レバーハンドル座の好ましい形態を以下に列挙する。
１）前記ケーシングの外側を覆う外カバーを含ませる。
２）前記インナー座とアウター座の接続が、一端がアウター座の底カバーに固定された前記連結軸の他端をインナー座の底カバーにねじで着脱自在に固定して行われる構造にし、前記ケーシングの端壁に、前記ねじの外部からの回転操作を可能にするドライバー挿入用の貫通穴を設ける。
３）前記ケーシングの前記円筒状ボス部とその円筒状ボス部の穴に挿入するレバーハンドルの根元部との間に着脱自在の樹脂ブッシュを介在する。
４）前記センター軸の前記星形の軸穴を、前記角芯のコーナが点当たりして入り込む前記角芯のコーナのコーナ角よりもコーナ角の小さなコーナを有する穴にする。
【発明の効果】
【００１９】
この発明の開き戸用レバーハンドル座は、レバーハンドルが固定されるラッチボルト駆動用の角芯がセンター軸によって支持され、前記センター軸が、両端の軸部をケーシングの円筒状ボス部と底カバーの円筒状ボス部の内側に摺動隙間をもって嵌め込まれて支持される。
【００２０】
このように、センター軸の支持が軸の両端においてなされ、しかも、ケーシングと底カバーの円筒状ボス部によるセンター軸の両端の支持が両端の軸部の全周にわたってなされるため、支持安定性に優れ、センター軸の振れが生じ難い。
【００２１】
また、センター軸の前記軸部及びケーシングと底カバーの円筒状ボス部の内径面の摩耗、傷つきも生じ難く、支持安定性が長期にわたって持続される。
【００２２】
さらに、前記ケーシング、底カバー、センター軸及び必要に応じて設ける外カバーは、インナー用とアウター用が同一仕様、同一形状になっており、そのために、インナー座とアウター座を構成するこれらの部品の共通化が図られ、生産性の向上とコスト低減も可能になる。
【００２３】
なお、前記外カバーを含ませたレバーハンドル座は、その外カバーによってケーシングが覆い隠されるため、見栄えがよい。
【００２４】
また、前記ケーシングの端壁に、前記ドライバー挿入用の貫通穴を設けたレバーハンドル座は、インナー座とアウター座を予め組み立てておいて連結軸を介して接続することが可能であり、扉に対する装着が容易に行える。
【００２５】
さらに、前記ケーシングの円筒状ボス部とレバーハンドルの根元部との間に前記樹脂ブッシュを介在したレバーハンドル座は、傷んだ樹脂ブッシュを交換して樹脂ブッシュの傷みに起因したレバーハンドルの支持安定性の低下を防止することができる。
【００２６】
また、前記センター軸の星形の軸穴を、前記角芯のコーナが点当たりして入り込む形状にしたものは、前記軸穴と前記角芯の形状、寸法にずれが生じて軸穴に対する角芯の挿入ができないときの対応が容易である。軸穴の穴面の角芯が点当たりする僅かな部位を削る
だけで、角芯の挿入が可能になる。
【図面の簡単な説明】
【００２７】
【図１】この発明のレバーハンドル座のインナー座を組み立てた状態にして示す断面図である。
【図２】（ａ）はインナー座の構成部品を分解して外カバーの外面が現れる方向から見て示す斜視図、（ａ）はインナー座の構成部品を分解して外カバーの内面が現れる方向から見て示す斜視図である。
【図３】連結軸が固定されたアウター座の底カバーの斜視図である。
【図４】インナー座とアウター座のケーシングを示す底面図である。
【図５】インナー座とアウター座のセンター軸の軸部に形成された星型の軸穴を示す端面図である。
【図６】センター軸が元位置にあるときのセンター軸とケーシングの位置関係を示す底面図である。
【図７】センター軸が元位置から回転規制を受ける位置まで回転したときのセンター軸とケーシングの位置関係を示す底面図である。
【図８】レバーハンドルを固定した角芯とアウター座と扉の錠組み込み穴の位置関係を示す分解斜視図である。
【図９】外カバーを外したレバーハンドル座を扉に取り付けた状態を示す斜視図である。
【図１０】レバーハンドルと外カバーを装着したレバーハンドル座を扉に取り付けた状態を示す斜視図である。
【図１１】レバーハンドルの扉に対する取り付け状態を示す側面図である。
【図１２】図１１のＡ−Ａ線に沿った断面図である。
【図１３】扉に対するレバーハンドルの取り付け状態を示す斜視図である。
【発明を実施するための形態】
【００２８】
この発明の開き戸用レバーハンドル座の実施の形態を、添付図面の図１〜図１３に基づいて説明する。
【００２９】
例示の開き戸用レバーハンドル座の構成要素を図１〜図８に、そのレバーハンドル座の扉に対する取り付け状態を図９〜図１３にそれぞれ示す。
【００３０】
図１２に示すように、例示のレバーハンドル座１は、扉２０の内側に取り付けるインナー座２と、扉２０の外側に取り付けるアウター座３と、扉２０に設けられた錠組み込み穴２１に通されてインナー座２とアウター座３を切り離し可能に接続する２本の連結軸４を組み合わせて構成されている。
【００３１】
それぞれの座を構成する部品は、図１、図２に示したように、底部が開放したカップ状のケーシング５、そのケーシング５の底カバー６、トーションばね７、センター軸８、小ねじ９、樹脂ブッシュ１０及び外カバー１１の７つである。
インナー座２とアウター座３は、トーションばね７を除いた他の構成要素が、同一形状、同一仕様となっている。トーションばね７は右巻きのばねと左巻きのばねが対をなす。
【００３２】
図１は、インナー座２の構成部品を組み立てた状態を示している。アウター座３は、図１に連結軸４を追加したものとなる。
【００３３】
ケーシング５は、図８と図１２に示した錠組み込み穴２１のインナー側とアウター側の開口部にそれぞれ取り付けるものである。そのケーシング５は、図１、図２、図４に示した外周壁５ａ、端壁５ｂ、円筒状ボス部５ｃ、図２（ｂ）と図４に示したばね係止部５ｄ、図２、図４、図６、図７に示した２個のストッパ部５ｅ、図２、図４に示した２個の貫通穴５ｆを有し、底部が開放されたものになっている。
【００３４】
外周壁５ａは、円筒状であり、その外周壁５ａの一端に端壁５ｂが連なっている。円筒状ボス部５ｃは、端壁５ｂの中心部に端壁５ｂの内面側に突出して設けられている（図１、図２参照）。
【００３５】
ばね係止部５ｄは、図４に示すように、２個が端壁５ｂの内面に突出して設けられている。２個のばね係止部５ｄは、左右対称形状であり、右、左の勝手違いが存在しない。
【００３６】
ストッパ部５ｅは、図２（ｂ）、図４、図６、図７に示すように、外周壁５ａの１８０°回転した位置の内面を膨出させて作られている。このストッパ部５ｅも左右対称（端壁５ｂを２等分する中心線を基準にして左右対称）形状である。このストッパ部５ｅには、図２（ａ）に示したねじ孔５ｇが加工されている。
【００３７】
貫通穴５ｆは、ねじの回転操作を行うドライバーを挿入するための穴であって、２個の穴が中心対称位置に設けられている。その２個の貫通穴５ｆは、２本の連結軸４に対応させた位置にある。
【００３８】
底カバー６は、中心部に円筒状ボス部６ａを有する（図１〜図３参照）。その円筒状ボス部６ａは、図１２に示すように、扉２０の錠組み込み穴２１に入り込ませて扉２０を挟むように扉２０のインナー側とアウター側に取り付けられる。
【００３９】
アウター座３の底カバー６には、図３に示すように、連結軸４の一端がかしめ加工して固定されている。その連結軸４を介して底カバー６の扉２０に対する取り付けが行われる。連結軸４は、他端がインナー座２の底カバー６に着脱自在に固定される。
【００４０】
その連結軸４は、図１２に示すように、錠組み込み穴２１に通され、その連結軸４の他端がインナー座２の底カバー６に接続されてインナー座２とアウター座３の底カバー６が互に連結される。
【００４１】
この底カバー６は、外周に中心対称形状の突片６ｂ（図２、図３参照）を有しており、その突片６ｂがケーシング５の外周壁５ａの自由端に適合して設けられた切欠き部５ｈ（図２、図４参照）に嵌め込まれてケーシング５と底カバー６の相対回転が阻止されるようになっている。
【００４２】
底カバー６には、２本の連結軸４に対応させた２個の軸取り付け穴６ｃ（図２参照）が設けられ、その軸取り付け穴６ｃから円周方向に９０°回転した位置に２個の座穴６ｄがさらに設けられている。
【００４３】
連結軸４の一端は、図３に示すように、アウター座３の底カバー６の軸取り付け穴６ｃに固定されている。インナー座２の底カバー６の軸取り付け穴６ｃには、ねじ１２が通され、そのねじ１２が連結軸４の他端にねじ込まれて連結軸４によるインナー座２とアウター座３の連結（底カバー６の接続）が行われる。
【００４４】
座穴６ｄは、ケーシング５のストッパ部５ｅに対応した位置にあり、その座穴６ｄに小ねじ９が通され、その小ねじ９が図２、図４に示したストッパ部５ｅのねじ孔５ｇにねじ込まれてケーシング５に底カバー６が固定される。
【００４５】
トーションばね７は、ケーシング５の円筒状ボス部５ｃに外嵌されてケーシング５に内蔵されており、そのトーションばね７がセンター軸８経由でレバーハンドル２２（図８~図１３参照）に復帰力を加える。
【００４６】
センター軸８は、図１、図２に示すように、本体８ａと、その本体８ａの外周に設けられた、計４個の径方向突出部８ｂ（図２参照）と、円筒状の軸部８ｃと、ばね受け部８ｄ（これも図２参照）を有する。
【００４７】
本体８ａは板状であり、その本体８ａの外周の周方向等分点に計４個の径方向突出部８ｂが設けられている。
【００４８】
径方向突出部８ｂは、センター軸８の回転角α（図６参照。これは即ち、レバーハンドル２２の回転角）を規制するものであって、センター軸８が元位置（図６の位置）から所定角度回転した位置（図７の位置）で径方向突出部８ｂがケーシング５のストッパ部５ｅに当接し、センター軸８の回転が規制される。
【００４９】
ばね受け部８ｄは、図２（ｂ）に示すように、本体８ａの片側（ケーシング５の端壁５ｂに対面させる側）の端面に軸方向に突出して設けられている。
【００５０】
このばね受け部８ｄにトーションばね７の曲げ戻された一端を、トーションばね７の前記一端とは反対向きに曲げ戻された他端をケーシング５の端壁５ｂの内面の２個のばね係止部５ｄの片方にそれぞれ係止させる。
【００５１】
これにより、レバーハンドル２２を解錠方向に回転させたときに、トーションばね７が巻き締められてそのばねの反発力が高まり、その力がセンター軸８を介してレバーハンドル２２に伝わることで、レバーハンドル２２が元位置に復帰する。
【００５２】
センター軸８は、戻り方向に回転したときにも径方向突出部８ｂがケーシング５のストッパ部５ｅに当接し、その位置（ここが元位置）で戻り回転が停止する。
【００５３】
センター軸８の円筒状の軸部８ｃは、図１、図２に示すように、本体８ａの中心部にあって本体８ａの両端面から軸方向に突出している。また、軸部８ｃは、星形の軸穴８ｅを有している。
【００５４】
図５に示すように、軸穴８ｅは、円周方向の等分点に計８箇所のコーナＣを有する。そのコーナＣの数は、軸穴８ｅに挿通されてセンター軸８に支持されるラッチボルト駆動用の角芯２３（図のそれは断面正方形）のコーナ数の２倍になっている。角芯２３の両端にはレバーハンドル２２が固定される。
【００５５】
樹脂ブッシュ１０は、ケーシング５の外部から円筒状ボス部５ｃの穴に挿入され、円筒状ボス部５ｃとその円筒状ボス部５ｃの穴に差し込まれるレバーハンドル２２の根元部との間に介在される。この樹脂ブッシュ１０は、傷んだときにケーシング５から抜き取って交換することができる。これにより、樹脂ブッシュ１０の傷みに起因した角芯２３の振れを抑制できる。
【００５６】
角芯２３は、レバーハンドル２２の操作によって所定角度回転する。その回転により角芯２３に取り付けた駆動リング２４（図１２参照）が作動し、その駆動リング２４に駆動されてラッチボルト２５（図１３参照）が戸枠に固定されているストライク（図示せず）から抜け出し、扉２０を開くことが可能になる。
【００５７】
軸穴８ｅの各コーナＣのコーナ角は、角芯２３のコーナのコーナ角（例示の角芯は９０°）よりも小さく、角芯２３のコーナが点当たりして軸穴８ｅのコーナＣに入り込む。
【００５８】
このように構成されているため、角芯２３の精度が悪くてその角芯２３が軸穴８ｅに嵌らないときにも、軸穴８ｅの僅かな部位の穴面を削ることで軸穴８ｅに対する角芯２３の挿入を可能にすることができる。
【００５９】
このように構成されたレバーハンドル座１は、センター軸８の軸部８ｃがケーシング５の円筒状ボス部５ｃと底カバー６の円筒状ボス部６ａの内側にそれぞれ摺動隙間をもって嵌め込まれ、センター軸８がケーシング５と底カバー６によって支持される。
【００６０】
例示のレバーハンドル座１は、インナー座２と、アウター座３は、ケーシング５にトーションばね７とセンター軸８を組み込み、底カバー６を小ねじ９でケーシング５に固定して予め組み立てておき、これを扉２０の外側と内側に取り付ける。
【００６１】
ケーシング５に樹脂ブッシュ１０を取り付け、さらに、外カバー１１を被せたアウター座３を扉２０の錠組み込み穴２１の外側の開口部にセットし、そのアウター座３に、アウター側のレバーハンドル２２が予め固定されている角芯２３を挿入する。
【００６２】
そして、その角芯２３を駆動リング２４に通し、その後さらに、錠組み込み穴２１の内側の開口部にセットされたインナー座２に通す。そしてインナー座２のケーシング５を貫通した角芯２３にインナー座２の樹脂ブッシュ１０を嵌める（この樹脂ブッシュ１０は、角芯２３を通す前にインナー座２のケーシング５に取り付けておいてもよい）。
【００６３】
次いで、アウター座３の底カバー６に固定されて錠組み込み穴２１に挿入されている連結軸４にねじ１２を使用してインナー座２の底カバー６を固定する。その作業は、インナー座２のケーシング５に設けられている貫通穴５ｆからドライバーをケーシング５の内部に差し込んで行う。
【００６４】
ねじ１２の締め込みにより、インナー座２とアウター座３が連結軸４を介して互いに連結されて扉２０に固定される。そこで、インナー座２のケーシング５に外カバー１１を被せ、さらに、インナー側のレバーハンドル２２を角芯２３に固定して錠の組み付けを完了する。
【００６５】
例示のレバーハンドル座１は、センター軸８の支持が、軸部８ｃの両端をケーシング５の円筒状ボス部５ｃと底カバー６の円筒状ボス部６ａに嵌め込んでなされる。
【００６６】
この構造によると、軸部８ｃが、全周にわたって径方向の動き代が生じない状態に円筒状ボス部５ｃ、６ａの内径面にガイドされる。そのため、センター軸８の支持安定性に優れ、そのセンター軸８に支持された角芯２３の振れとガタツキが生じ難い。
【００６７】
また、センター軸８の両端の支持が、円筒状ボス部５ｃ、６ａの内径面に軸部８ｃが広く面接触してなされるため、軸部８ｃや円筒状ボス部５ｃ、６ａの内径面の摩耗、傷つきも生じ難く、支持安定性が長期にわたって持続される。
【００６８】
さらに、インナー座２とアウター座３を構成する部品の共通化が図られ、生産性の向上とコスト低減も可能になる。
【符号の説明】
【００６９】
１          レバーハンドル座
２          インナー座
３          アウター座
４          連結軸
５          ケーシング
５ａ        外周壁
５ｂ        端壁
５ｃ        円筒状ボス部
５ｄ        ばね係止部
５ｅ        ストッパ部
５ｆ        貫通穴
５ｇ        ねじ孔
５ｈ        切欠き部
６          底カバー
６ａ        円筒状ボス部
６ｂ        突片
６ｃ        軸取り付け穴
６ｄ        座穴
７          トーションばね
８          センター軸
８ａ        本体
８ｂ        径方向突出部
８ｃ        軸部
８ｄ        ばね受け部
８ｅ        軸穴
Ｃ          コーナ
９          小ねじ
１０        樹脂ブッシュ
１１        外カバー
１２        ねじ
２０        扉
２１        錠組み込み穴
２２        レバーハンドル
２３        角芯
２４        駆動リング
２５        ラッチボルト
α          センター軸の回転角
【図１】
2020176469.tif 000003
【図２】
2020176469.tif 000004
【図３】
2020176469.tif 000005
【図４】
2020176469.tif 000006
【図５】
2020176469.tif 000007
【図６】
2020176469.tif 000008
【図７】
2020176469.tif 000009
【図８】
2020176469.tif 000010
【図９】
2020176469.tif 000011
【図１０】
2020176469.tif 000012
【図１１】
2020176469.tif 000013
【図１２】
2020176469.tif 000014
【図１３】
2020176469.tif 000015